(57)【要約】【課題】透明描写板を透かして見えた絵画対象の構図または輪郭を直接マーカーで描いて構図取りを容易にする絵画用具を提供する。【解決手段】  透明描写板を透かして見えた絵画対象の構図又は輪郭を目視通りに、消去可能なマーカーを用いて、当該透明板に直接描写し、この構図を縦および横に画面分割するスケール板を以って分割し、実際のキャンバスまたはスケッチ・ブックにも同じ比例で分割した薄い線を引いて、又は引かなくても、容易に構図が描けるようにすることを特徴とするスケッチ構図描写用具である【選択図】図１
2008074079.tif 000002
【特許請求の範囲】
【請求項１】
透明描写板を透かして見えた絵画対象の構図又は輪郭などを目視通りに、消去可能なマーカーを用いて、当該透明板に直接描写し、この構図又は輪郭などを縦および横に画面分割するスケール板を以って分割し、実際のキャンバスまたはスケッチ・ブックにも同じ比例で分割した薄い線を引いて、又は引かなくても、容易に構図が描けるようにすることを特徴とするスケッチ構図描写用具。
【発明の詳細な説明】
【技術分野】
【０００１】  本発明は、実際のスケッチに先立ち、透明描写板を透かして目視した描画対象の構図、輪郭、明暗、形の強弱など（以下構図と言う）を、消去可能なマーカーを用いて、当該透明描写板に直接描写して，対象の構図を明確に掴むスケッチ構図描写用具。
【背景技術】
【０００２】  従来，スケッチの描画対象を探したり、その大まかな構図をとる場合、両手の親指と人指し指で四角い枠を作って覗き見たり、実際に手帳程度の紙に大まかな構図の線を引いたり、更には約１０センチ四方ぐらいの透明な材料の周囲を黒塗りにして、その内側の透明部に４分割の線を引いて、そこから覗き見る額縁状透視具などの方法がとられている
【発明の開示】
【発明が解決しようとする課題】
【０００３】    そのために次のような問題点があった。
指の枠から覗き見る方法は描く範囲を切り取る程度で構図までは取れない。また手帳より少し大きいスケッチ・ブックに簡単な構図を描くことはよく行はれ有効であるが、実際にキャンバスに描くとなると熟練を要する。額縁状透視具は構図の線をキャンバスに一本引く毎に覗き見し、そのたびに手を掲げなければならないばかりか、額縁状透視具の掲げる位置が常にズレるため極めて構図が取りにくい。
本発明は、これらの問題点を解決するためになされたものである。
【課題を解決するための手段】
【０００４】  透明描写板を透かして目視した描画対象の構図を、消去可能なマーカーを用いて、当該透明描写板に直接描写する。そしてこの構図を縦と横に分割スケール板を用いて画面分割を行い、実際のキャンバスやスケッチ・ブックにも同じ比例の分割線を引いて又は引かなくとも、透明板に描写された構図を当該キャンバスまたはスケッチ・ブックに容易に描き写せるようにするものである
以上を特徴とするスケッチ構図描写用具である。
【発明の効果】
【０００５】  実際にスケッチまたは写生をするとき、広いキャンバスなどに絵画対象をどう納めるか、つまり構図をどう捉えるか相当困難なところである。本発明はこの困難を大きく軽減し、構図描写の失敗を著しく減少させる。
【発明を実施するための最良の形態】
【０００６】以下、本発明の実施の形態について説明する。
（イ）本発明は、透明描写板（１）と、これに重ね合せる  透明分割スケール（２）、額縁マスク（４）、自由構図マスク（５）および白色不透明板（６）の全てを同時に保持できる保持枠（３）より成る。
（ロ）透明分割スケール（２）は実際によく描かれるキャンバス規格、例えばＦ１０号、Ｆ８号、Ｆ６号、Ｆ４，Ｐ１０号など、その夫々異なる縦対横の比率に対応して縦および横の分割線を引いた分割スケールとする。
（ハ）切口窓（４ａ）を設けた周囲が黒色の額縁マスク（４）は構図範囲の広狭に対応して視野を調整するもので分割スケール（２）の目盛単位で作成する。又  自由な構図を取るための自由構図マスク（５）を、図面上においてはＬ字状のマスクを示したが、この形状は特定するものでなく楕円の切り口窓のマスクを始め複数の形態から構成される。
（ニ）  白色不透明板（６）は透明描写板（１）に重ね合わせて、描かれた構図を鮮明にする
本発明は、以上のような構成で、これを使用するとき、
（イ）把手（８）を透明描写板（１）に取り付ける、すなわち把手取り付けボルト（９）を把手取り付け穴（７）に差し込んで、把手取り付けネジ（１０）を締めて取り付ける。なお同時に把手固定凸（１１）を凸受け穴（１２）に合わせて固定する。
（ロ）先ず、実際のスケッチを始める前に、透明描写板（１）を透かして風景などのスケッチ対象を見渡し、スケッチ対象の探求および選択を行う。
（ハ）探求に際しては
（ａ）透明描写板（１）を縦又は横にして透視し、縦又は横の構図を決める
（ｂ）透明描写板（１）を目に近かづけて対象を広く捉えたり、遠ざけて狭く捉えたりし、必要に応じて額縁マスク（４）又は自由構図マスク（５）を利用する。この場合キャンバス・サイズの規格又は自由サイズを念頭に置いて構図範囲を決める。
（ｃ）必要に応じて、この段階から透明分割スケール（２）を用いて、スケッチの中心に何を捉えるか、空はどの程度入れるか、屋根の角度はどの程度の傾きか、目線の高さはどの位置にするのかなどスケッチの重要な要素を掴むことに活用する。
（ニ）実際に構図を描写するには、透明描写板（１）を透視して、見えた通りに対象の重要な形態、形状、配置などを、消去可能なホワイトボード用マーカーなどを用いて、直接当該透明描写板（１）に描写（１８）する。所要時間はおおむね数分で済む。この場合、透明描写板（１）の揺れまたは位置のずれを防ぐため、イーゼル（１３）またはカメラの三脚（１６）に把手（８）を取り付けることが望ましいが、大掴みに構図を掴むことで足りるときは手持ちでも良い。なお把手（８）をイーゼルに取り付けるには、イーゼル取り付け部（１５）をホース・バンド（１４）を以って緊縛するのが適当であり、カメラの三脚雲台（１６）は把手（８）の三脚取り付けＷ  １／４ネジ穴（１７）に取り付ける。
（ホ）構図の描写を終えたら、透明描写板（１）をイーゼル（１３）または三脚（１６）からはずして、取り扱い易くし、描かれた構図を明確にするため白色不透明板（６）を透明描写板（１）に重ね合わせて、描写された構図を明確にする。なお白色不透明板に替え他の薄めの色の不透明板を用いることも、色調を見るため有効である。
（ヘ）明確になった構図を画面分割するため、透明分割スケール（２）を透明描写板（１）と白色不透明板（６）の間に入れて構図の画面分割を行い、これにより構図の重要な形態、形状および配置などを更に詳しく掴むことが出来る。一方この分割に比例した線をキャンバスまたはスケッチ・ブックなどに薄く引き、透明描写板（１）に描いた構図に従って当該キャンバス又はスケッチ・ブックなどに描き写す。  つまり、これによって当該スケッチの土台となる客観的な基本構図を容易に掴むことができる。  また構図をデフォルメするとしても，この基本構図が前提となる。
なお、透明描写板（１）に描いた構図だけでも相当に構図感覚が得られるので経験を積めば  キャンバスやスケッチ・ブックに比例分割線を引かないで済むことになる。
（ト）構図をとった描画を保存したいときは、別の保存用透明描写板（１９）を透明描写板（１）に重ね合わせて、当該保存用透明描写板（１９）に直接消去不可のマーカーで描写する。  これは旅行など、スケッチ時間がないとき短時間のうちに構図が描画でき、同時に写真を撮っておけば、後日、肉眼の構図とレンズの不自然な構図の大きな違いを解消して、保存した正しい構図を基に、細部の形や色ならびに陰の描写は写真を参考にすれば良いことになる
【図面の簡単な説明】
【０００７】
【図１】本発明の斜視図
【図２】本発明の側面図
【図３】本発明の透明描写板の正面図
【図４】本発明の透明分割スケールＦ１０の正面図
【図５】本発明の額縁マスクの正面図
【図６】本発明の自由構図マスクの正面図
【図７】本発明の白色不透明板の正面図
【図８】本発明の把手取り付けの分解図
【図９】本発明のイーゼル取り付けの斜視図
【図１０】本発明のカメラ三脚取り付けの斜視図
【図１１】本発明の構図描写の実施例図
【図１２】本発明の保存用透明描写板の正面図
【符号の説明】
【０００８】  １    透明描写板
２    透明分割スケール
３    保持枠
４    額縁マスク
５    自由構図マスク
６    白色不透明板
７    把手取り付け穴
８    把手
９    把手取り付けボルト
１０  把手取り付けネジ
１１  把手固定凸
１２  凸受け穴
１３  イーゼル
１４  イーゼル取り付けホース・バンド
１５  イーゼル取り付け部
１６  カメラ三脚雲台
１７  カメラ三脚取り付けＷ１／４ネジ穴
１８  透明描写板の実施例
１９  保存用透明描写板
【図１】
2008074079.tif 000003
【図２】
2008074079.tif 000004
【図３】
2008074079.tif 000005
【図４】
2008074079.tif 000006
【図５】
2008074079.tif 000007
【図６】
2008074079.tif 000008
【図７】
2008074079.tif 000009
【図８】
2008074079.tif 000010
【図９】
2008074079.tif 000011
【図１０】
2008074079.tif 000012
【図１１】
2008074079.tif 000013
【図１２】
2008074079.tif 000014